(57)【要約】【課題】キセノン分圧を増加させたパネルであっても誤放電現象を発生させず、良好な画像表示が可能なプラズマディスプレイパネルの駆動方法を提供する。【解決手段】維持期間には放電セルを所定の輝度重みで発光させるための維持放電を発生させる維持パルスを走査電極と維持電極とに印加し、走査電極に印加する維持パルスのうち、最後の維持パルスＰｗのパルス幅はそれ以外の維持パルスＰｍのパルス幅よりも広く、最後の維持パルスＰｗのパルス電圧Ｖｎ（Ｖ）はそれ以外の維持パルスＰｍのパルス電圧Ｖｍ（Ｖ）よりも低い。【選択図】図４
2006003398.tif 000002
【特許請求の範囲】
【請求項１】
走査電極および維持電極とデータ電極との交差部に放電セルを形成してなるプラズマディスプレイパネルの駆動方法であって、
１フィールド期間は初期化期間、書込み期間および維持期間を有する複数のサブフィールドから構成され、
前記維持期間には、前記放電セルを所定の輝度重みで発光させるための維持放電を発生させる維持パルスを前記走査電極と前記維持電極とに印加し、
前記走査電極に印加する維持パルスのうち、最後の維持パルスのパルス幅はそれ以外の維持パルスのパルス幅よりも広く、前記最後の維持パルスのパルス電圧はそれ以外の維持パルスのパルス電圧よりも低いことを特徴とするプラズマディスプレイパネルの駆動方法。
【請求項２】
前記放電セルはキセノンを１０％以上含む放電ガスを有することを特徴とする請求項１に記載のプラズマディスプレイパネルの駆動方法。
【請求項３】
前記走査電極に印加する前記最後の維持パルスの立上がり期間と前記維持電極に印加する維持パルスの立下がり期間との少なくとも一部が時間的に重なることを特徴とする請求項１または請求項２に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般的である。各サブフィールドはそれぞれ初期化期間、書込み期間および維持期間を有し、初期化期間には放電セルに初期化放電を発生させ、書込み期間には発光させるべき放電セルに対し選択的に書込み放電を発生させ、維持期間には書込み放電を発生した放電セルに対し所定の輝度重みで発光させるための維持放電を発生させる。
【０００４】
サブフィールド法の中でも、階調表示に関係しない発光を極力減らして黒輝度の上昇を抑え、コントラスト比を向上した新規な駆動方法が特許文献１に開示されている。この駆動方法によれば、初期化期間には、画像表示を行うすべての放電セルに対して初期化放電を行わせる全セル初期化動作、または直前のサブフィールドにおいて維持放電を行った放電セルに対して選択的に初期化放電を行わせる選択初期化動作のいずれかの動作を行う。そして、１フィールドを構成する複数のサブフィールドのうち、全セル初期化動作を行う初期化期間を有するサブフィールドの数を減らすことにより、画像表示に関係のない発光を抑えることができ、コントラストの高い画像表示が可能となる。
【０００５】
また、特許文献２には、維持期間に単一の太幅パルスを有するサブフィールドを備え、暗い画面における階調性を改善した新規な駆動方法が開示されている。この駆動方法によれば、単一の太幅パルスにより維持放電と同時に消去動作を行うことができ、そのときの発光は維持パルスを用いる場合の発光よりも暗くなるので、通常の維持パルスを用いた最小の階調よりもさらに暗い階調表現が可能となる。
【特許文献１】特開２０００−２４２２２４号公報
【特許文献２】特開２００２−０１４６５２号公報
【発明の開示】
【発明が解決しようとする課題】
【０００６】
近年、パネルに封入されている放電ガスのキセノン分圧を増加させてパネルの発光効率を向上させる検討がなされている。しかしながら、キセノン分圧を増加させると放電が不安定になり、放電すべき放電セルが放電しない、あるいは放電すべきではない放電セルが放電する等の誤放電現象が発生し、画像表示品質が低下するという課題があった。また、誤放電現象の発生に至らないまでもパネルの駆動マージンが低下するという課題があった。
【０００７】
本発明は、これらの課題に鑑みなされたものであり、キセノン分圧を増加させたパネルであっても誤放電現象を発生させず、良好な画像表示が可能なパネルの駆動方法を提供することを目的とする。
【課題を解決するための手段】
【０００８】
本発明のパネルの駆動方法は、走査電極および維持電極とデータ電極との交差部に放電セルを形成してなるプラズマディスプレイパネルの駆動方法であって、１フィールド期間は初期化期間、書込み期間および維持期間を有する複数のサブフィールドから構成され、維持期間には放電セルを所定の輝度重みで発光させるための維持放電を発生させる維持パルスを走査電極と維持電極とに印加し、走査電極に印加する維持パルスのうち、最後の維持パルスのパルス幅はそれ以外の維持パルスのパルス幅よりも広く、最後の維持パルスのパルス電圧はそれ以外の維持パルスのパルス電圧よりも低いことを特徴とする。この方法により、キセノン分圧を増加させたパネルであっても誤放電現象を発生させず、良好な画像表示が可能なプラズマディスプレイパネルの駆動方法を提供することができる。
【０００９】
また、本発明の駆動方法を適用するパネルの放電セルは、キセノンを１０％以上含む放電ガスを有する。これにより、キセノン分圧を増加させたパネルであっても誤放電現象を発生させず、良好な画像表示が可能なプラズマディスプレイパネルの駆動方法を提供することができる。
【００１０】
また、本発明のパネルの駆動方法は、走査電極に印加する最後の維持パルスの立上がり期間と維持電極に印加する維持パルスの立下がり期間との少なくとも一部が時間的に重なることが望ましい。この方法により、誤放電現象をさらに抑制することが可能となる。
【発明の効果】
【００１１】
本発明によれば、キセノン分圧を増加させたパネルであっても誤放電現象を発生させず、良好な画像表示が可能なプラズマディスプレイパネルの駆動方法を提供することができる。
【発明を実施するための最良の形態】
【００１２】
以下、本発明の一実施の形態におけるパネルの駆動方法について、図面を用いて説明する。
【００１３】
（実施の形態）
図１は本発明の実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。保護層７としては安定した放電を発生させるために二次電子放出係数が大きくかつ耐スパッタ性の高い材料が望ましく、本発明の実施の形態においてはＭｇＯ薄膜が用いられている。背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。本発明の実施の形態においてはパネルの発光効率を向上させるために、パネルに封入されている放電ガスのキセノン分圧を１０％に増加させている。
【００１４】
図２は本発明の実施の形態に用いるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１５】
図３は本発明の実施の形態におけるパネルの駆動方法を使用するプラズマディスプレイ装置の回路ブロック図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００１６】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９に出力する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極Ｄ１〜Ｄｍを駆動する。
【００１７】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動電圧波形を供給し、維持電極駆動回路１４は、タイミング信号に基づいて維持電極ＳＵＳ１〜ＳＵＳｎに駆動電圧波形を供給する。
【００１８】
つぎに、パネルを駆動するための駆動電圧波形とその動作について説明する。本発明の実施の形態においては、１フィールドを１０のサブフィールド（第１ＳＦ、第２ＳＦ、・・・、第１０ＳＦ）に分割し、各サブフィールドは後ろのサブフィールドほど輝度重みが大きくなるように構成しているものとして説明する。
【００１９】
図４は本発明の実施の形態におけるパネルの駆動方法を使用するにあたって各電極に印加する駆動電圧波形図であり、第１ＳＦと第２ＳＦとを詳細に示している。ここで第１ＳＦは、全セル初期化動作を行う初期化期間を有するサブフィールド（以下、「全セル初期化サブフィールド」と略記する）であり、つづく第２ＳＦは選択初期化動作を行う初期化期間を有するサブフィールド（以下、「選択初期化サブフィールド」と略記する）である。
【００２０】
第１ＳＦの初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加する。すると、すべての放電セルにおいて１回目の微弱な初期化放電を起こし、走査電極ＳＣＮ１〜ＳＣＮｎ上に負の壁電圧が蓄えられるとともに、維持電極ＳＵＳ１〜ＳＵＳｎ上およびデータ電極Ｄ１〜Ｄｍ上に正の壁電圧が蓄えられる。ここで、電極上の壁電圧とは、電極を覆う誘電体層あるいは蛍光体層上に蓄積した壁電荷により生じる電圧をあらわす。
【００２１】
その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、すべての放電セルにおいて２回目の微弱な初期化放電を起こし、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。
【００２２】
このように、第１ＳＦの初期化期間では、すべての放電セルにおいて初期化放電させる全セル初期化動作が行われる。
【００２３】
つづく書込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に負の走査パルス電圧Ｖｂ（Ｖ）を印加する。すると走査電極ＳＣＮ１とデータ電極Ｄｋとの間には書込みパルス電圧と走査パルス電圧とが加算された電圧が印加され放電開始電圧を超えるので、走査電極ＳＣＮ１とデータ電極Ｄｋとの交差部で放電が発生し、対応する放電セルの走査電極ＳＣＮ１と維持電極ＳＵＳ１との間の放電に進展する。そして書込み放電を発生した放電セルの走査電極ＳＣＮ１上には正の壁電圧、維持電極ＳＵＳ１上には負の壁電圧が蓄積され、データ電極Ｄｋ上にも負の壁電圧が蓄積される。こうして１行目の書込みパルス電圧Ｖｗ（Ｖ）を印加した放電セルで書込み放電が発生する。一方、書込みパルス電圧Ｖｗ（Ｖ）を印加しなかった放電セルには書込み放電は発生せず壁電荷が蓄積されない。このとき、２行目以降の放電セルのデータ電極Ｄｋにも正の書込みパルス電圧Ｖｗ（Ｖ）が印加されるが、２行目以降の走査電極ＳＣＮｉには負の走査パルス電圧Ｖｂ（Ｖ）が印加されないので、対応する走査電極ＳＣＮｉとデータ電極Ｄｋとの間に印加される電圧は書込みパルス電圧Ｖｗ（Ｖ）のみであり放電開始電圧を超えないので書込み放電が発生することはない。
【００２４】
つづいて、２行目に表示すべき放電セルのデータ電極Ｄｋに正の書込みパルス電圧Ｖｗ（Ｖ）を印加するとともに、２行目の走査電極ＳＣＮ２に負の走査パルス電圧Ｖｂ（Ｖ）を印加する。すると走査電極ＳＣＮ２とデータ電極Ｄｋとの間には書込みパルス電圧と走査パルス電圧とが加算された電圧が印加され放電開始電圧を超え、２行目の書込みパルス電圧Ｖｗ（Ｖ）を印加した放電セルの書込み放電が発生する。一方、書込みパルス電圧Ｖｗ（Ｖ）を印加しなかった放電セルには書込み放電は発生せず壁電荷が蓄積されない。この場合にも、３行目以降の放電セルの走査電極ＳＣＮｉとデータ電極Ｄｋとの間に印加される電圧は書込みパルス電圧Ｖｗ（Ｖ）のみであり放電開始電圧を超えないので書込み放電が発生することはない。
【００２５】
以上の書込み動作をｎ行目の放電セルに至るまで順次行い、書込み期間が終了する。
【００２６】
つづく維持期間では、維持電極ＳＵＳ１〜ＳＵＳｎを０（Ｖ）に戻し、同時に走査電極ＳＣＮ１〜ＳＣＮｎに正の電圧Ｖｎ（Ｖ）をもつ幅の広い維持パルスＰｗを印加する。本発明の実施の形態においては維持パルスＰｗの幅を５μｓ、電圧Ｖｎ（Ｖ）を１４０（Ｖ）と設定した。このとき、書込み放電を起こした放電セルにおいては、走査電極ＳＣＮｉ上と維持電極ＳＵＳｉ上との間の電圧は維持パルスＰｗの電圧Ｖｎ（Ｖ）に走査電極ＳＣＮｉ上および維持電極ＳＵＳｉ上の壁電圧の大きさが加算されたものとなり、放電開始電圧をわずかに超え、走査電極ＳＣＮｉと維持電極ＳＵＳｉとの間に維持放電が発生する。そしてデータ電極Ｄｋ上に正の壁電圧が蓄積される。ここで、走査電極ＳＣＮ１〜ＳＣＮｎに印加する維持パルスＰｗのパルス幅が広く、かつ電圧Ｖｎ（Ｖ）は後述する維持パルスの電圧Ｖｍ（Ｖ）より低く、走査電極ＳＣＮｉ上および維持電極ＳＵＳｉ上の壁電圧と加算したとき放電開始電圧をわずかに超える電圧に設定している。そのため、放電後に走査電極ＳＣＮｉおよび維持電極ＳＵＳｉ上に蓄積される壁電荷は小さく、幅の広い維持パルスＰｗによる維持放電は消去動作をも兼ねた放電となり、つづくサブフィールドにおいて放電すべきでない放電セルが放電する等といった誤放電現象を防ぐことができる。そして、第１ＳＦの維持期間では幅の広い維持パルスＰｗを印加することにより１回の発光があり、書込み期間における書込み放電と合計すると２回の発光がある。そして第１ＳＦではこれら２回の発光が最小階調「階調１」を表示する。
【００２７】
このとき、維持電極ＳＵＳ１〜ＳＵＳｎを電圧Ｖｈ（Ｖ）から０（Ｖ）に戻すと同時に走査電極ＳＣＮ１〜ＳＣＮｎに維持パルス電圧Ｖｎ（Ｖ）を印加したのは、走査電極ＳＣＮ１〜ＳＣＮｎに印加する駆動電圧波形の立上がり期間と維持電極ＳＵＳ１〜ＳＵＳｎに印加する駆動電圧波形の立下がり期間とを時間的に重ねるためである。そしてこれは後述するように、キセノン分圧の高いパネルを用いた場合であっても、放電すべき放電セルが放電しない等といった誤放電現象を防ぐ上で重要となる。
【００２８】
第２ＳＦの初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎには電圧Ｖａ（Ｖ）に向かって緩やかに下降するランプ電圧を印加する。すると第１ＳＦの維持期間で維持放電を行った放電セルでは、微弱な初期化放電が発生し、走査電極ＳＣＮ１〜ＳＣＮｎ上および維持電極ＳＵＳ１〜ＳＵＳｎ上の壁電圧が弱められ、データ電極Ｄｋ上の壁電圧も書込み動作に適した値に調整される。一方、第１ＳＦで維持放電を行わなかった放電セルについては放電することはなく、第１ＳＦの初期化期間終了時における壁電荷状態がそのまま保たれる。このように、第２ＳＦの初期化動作は前のサブフィールドで維持放電を行った放電セルにおいて初期化放電させる選択初期化動作である。
【００２９】
書込み期間については第１ＳＦの書込み期間と同様であるため説明を省略する。
【００３０】
つづく維持期間では、まず、維持電極ＳＵＳ１〜ＳＵＳｎを０（Ｖ）に戻し、走査電極ＳＣＮ１〜ＳＣＮｎに正の維持パルスＰｍの電圧Ｖｍ（Ｖ）を印加する。本発明の実施の形態においては維持パルスＰｍの幅を３μｓ、電圧Ｖｍ（Ｖ）を１８０（Ｖ）と設定した。このとき、書込み放電を起こした放電セル内では、維持パルス電圧Ｖｍ（Ｖ）に壁電荷による電圧が加算され放電開始電圧を大きく超え維持放電が発生する。そしてデータ電極Ｄｋ上には正の壁電圧が蓄積し、走査電極ＳＣＮｉおよび維持電極ＳＵＳｉ上の壁電圧の極性が反転する。つづいて、走査電極ＳＣＮ１〜ＳＣＮｎを０（Ｖ）に戻し、維持電極ＳＵＳ１〜ＳＵＳｎに正の維持パルスＰｍの電圧Ｖｍ（Ｖ）を印加すると、放電セル内で再び維持放電が起こり、走査電極ＳＣＮｉおよび維持電極ＳＵＳｉ上の壁電圧の極性が反転する。その後、維持電極ＳＵＳ１〜ＳＵＳｎを０（Ｖ）に戻すと同時に走査電極ＳＣＮ１〜ＳＣＮｎに正の電圧Ｖｎ（Ｖ）をもつ幅の広い維持パルスＰｗを印加する。すると、走査電極ＳＣＮｉと維持電極ＳＵＳｉとの間に３度目の維持放電が発生する。ここで、走査電極ＳＣＮ１〜ＳＣＮｎに印加する維持パルス電圧Ｖｎ（Ｖ）は維持パルス電圧Ｖｍ（Ｖ）より低く、走査電極ＳＣＮｉ上および維持電極ＳＵＳｉ上の壁電圧と加算したとき放電開始電圧をわずかに超える電圧に設定している。そのため、放電後に走査電極ＳＣＮｉおよび維持電極ＳＵＳｉ上に蓄積される壁電荷は小さく、幅の広い維持パルスＰｗによる維持放電は消去動作をも兼ねた放電となり、つづくサブフィールドにおいて放電すべきでない放電セルが放電する等といった誤放電現象を防ぐことができる。ただしデータ電極Ｄｋ上の壁電圧は消去されない。そして、第２ＳＦの維持期間では通常の維持パルスＰｍによる２回の放電と幅の広い維持パルスＰｗによる１回の消去放電とが発生し、書込み期間における書込み放電と合計すると第２ＳＦでは４回の発光がある。そしてこれら４回の発光が「階調２」を表示する。
【００３１】
このとき、維持電極ＳＵＳ１〜ＳＵＳｎを電圧Ｖｍ（Ｖ）から０（Ｖ）に戻すと同時に走査電極ＳＣＮ１〜ＳＣＮｎに維持パルス電圧Ｖｎ（Ｖ）を印加したのは、走査電極ＳＣＮ１〜ＳＣＮｎに印加する維持パルスＰｗの立上がり期間と維持電極ＳＵＳ１〜ＳＵＳｎに印加する維持パルスＰｍの立下がり期間とを時間的に重ねるためである。
【００３２】
第３ＳＦ以降のサブフィールドの初期化期間、書込み期間については第２ＳＦと同様であるので説明を省略する。
【００３３】
第３ＳＦ以降のサブフィールドの維持期間では、まず、維持電極ＳＵＳ１〜ＳＵＳｎを０（Ｖ）に戻し、走査電極ＳＣＮ１〜ＳＣＮｎに維持パルスＰｍの電圧Ｖｍ（Ｖ）を印加する。このとき、書込み放電を起こした放電セル内では、維持パルス電圧Ｖｍ（Ｖ）に壁電荷による電圧が加算され放電開始電圧を大きく超え維持放電が発生する。そしてデータ電極Ｄｋ上には正の壁電圧が蓄積し、走査電極ＳＣＮｉ上および維持電極ＳＵＳｉ上の壁電圧の極性が反転する。つづいて、走査電極ＳＣＮ１〜ＳＣＮｎを０（Ｖ）に戻し、維持電極ＳＵＳ１〜ＳＵＳｎに維持パルスＰｍの電圧Ｖｍ（Ｖ）を印加すると、放電セル内で再び維持放電が起こり、走査電極ＳＣＮｉ上および維持電極ＳＵＳｉ上の壁電圧の極性が反転する。以上の動作を階調を表示するために必要な回数だけ繰り返す。そして維持期間の最後に、維持電極ＳＵＳ１〜ＳＵＳｎを０（Ｖ）に戻すと同時に走査電極ＳＣＮ１〜ＳＣＮｎに正の電圧Ｖｎ（Ｖ）をもつ幅の広い維持パルスＰｗを印加し、維持放電を発生させる。ここで、走査電極ＳＣＮ１〜ＳＣＮｎに印加する維持パルスＰｗの電圧Ｖｎ（Ｖ）は維持パルス電圧Ｖｍ（Ｖ）より低いので、放電後に走査電極ＳＣＮｉ上および維持電極ＳＵＳｉ上に蓄積される壁電荷は小さく、幅の広い維持パルスＰｗによる維持放電は消去動作をも兼ねた放電となり、つづくサブフィールドにおいて放電すべきでない放電セルが放電する等といった誤放電現象を防ぐことができる。ただしデータ電極Ｄｋ上の壁電圧は消去されない。そして第３ＳＦ以降の維持期間では、通常の維持パルスＰｍによる放電と幅の広い維持パルスＰｗによる１回の消去放電とが発生し、書込み期間における書込み放電と合計して所定の階調を表示する。
【００３４】
ここで、各サブフィールドの維持期間において、最後に走査電極ＳＣＮ１〜ＳＣＮｎに印加する維持パルスＰｗの立上がり期間と維持電極ＳＵＳ１〜ＳＵＳｎに印加する維持パルスＰｍの立下がり期間との少なくとも一部を時間的に重ねた理由について説明する。上述の駆動電圧波形により放電すべき放電セルが放電しない等の誤放電現象が抑制される理由については完全に解明されたわけではないが、たとえば１つの要因として以下のように考えることができる。
【００３５】
図５は維持期間において走査電極および維持電極に印加する駆動電圧波形とそれに伴う発光波形を示す図であり、図５（ａ）は走査電極の駆動電圧波形の立上がり期間と維持電極の駆動電圧波形の立下がり期間を重ねない場合を示し、図５（ｂ）は重ねた場合を示している。
【００３６】
図５（ａ）に示したように走査電極の駆動電圧波形の立上がり期間と維持電極の駆動電圧波形の立下がり期間とを重ねない場合には、維持電極ＳＵＳｉが０（Ｖ）に固定された後に維持電極ＳＵＳｉとデータ電極Ｄｋとの間で自己消去放電ｄ１が発生し、データ電極Ｄｋ上の壁電圧が消去される。そして走査電極ＳＣＮｉに電圧Ｖｎ（Ｖ）を印加すると走査電極ＳＣＮｉと維持電極ＳＵＳｉとの間で維持放電ｄ２が発生する。一方、図５（ｂ）に示すように立上がり期間と立下がり期間を重ねた場合には、自己消去放電が実質的に発生することなく走査電極ＳＣＮｉと維持電極ＳＵＳｉとの間で維持放電ｄ３が発生している。そしてこのときの維持放電ｄ３は第１の維持期間における維持放電ｄ２より大きい。これは維持放電ｄ３はデータ電極Ｄｋをも含む放電であり、データ電極Ｄｋ上には正の壁電圧が形成されると考えられる。
【００３７】
そして、データ電極Ｄｋ上に正の壁電圧がそれぞれ十分に蓄えられることによって、つづくサブフィールドの選択初期化動作を安定させ、安定した書込み動作を行うことができる。すなわち、つづく初期化期間において走査電極ＳＣＮｉに電圧Ｖａ（Ｖ）へ向かって緩やかに下降するランプ電圧を印加すると維持電極ＳＵＳｉと走査電極ＳＣＮｉとの間およびデータ電極Ｄｋと走査電極ＳＣＮｉとの間で安定した微弱な初期化放電が発生する。そして、走査電極ＳＣＮｉ上の壁電圧、維持電極ＳＵＳｉ上の壁電圧が弱められ、データ電極Ｄｋ上の壁電圧も書込み動作に適した値に調整することができる。しかしながら、データ電極Ｄｋ上の正の壁電圧が不足した場合には、つづくサブフィールドの初期化期間において初期化放電が発生しない、あるいは発生しても十分な壁電圧調整が行われない等、書込み動作に適した壁電圧が形成されない。そのため書込み放電が不安定になるといった問題が発生すると考えられる。
【００３８】
本発明の実施の形態におけるパネルの駆動方法は、上述のように維持期間において幅の広い維持パルスＰｗを印加する際に、走査電極ＳＣＮ１〜ＳＣＮｎに印加する維持パルスの立上がり期間と維持電極ＳＵＳ１〜ＳＵＳｎに印加する維持パルスの立下がり期間とを時間的に重ねている。この駆動方法により、つづく初期化動作、特に選択初期化動作を安定させ、書込み動作に適した壁電荷形成を行っている。
【００３９】
なお、本発明の実施の形態においては維持パルスＰｗの幅を５μｓ、電圧Ｖｎ（Ｖ）を１４０（Ｖ）と設定し、維持パルスＰｍの幅を３μｓ、電圧Ｖｍ（Ｖ）を１８０（Ｖ）と設定した。しかしこれらは上述の値に限られるものではなく、維持パルスＰｗの幅＞維持パルスＰｍの幅、電圧Ｖｎ（Ｖ）＜電圧Ｖｍ（Ｖ）の範囲で誤放電現象の最も発生しにくい、あるいは最も駆動マージンが広くなる値に設定することが望ましい。
【００４０】
また、本発明の実施の形態においては第１ＳＦを全セル初期化サブフィールドとしたが、全セル初期化サブフィールドは維持期間の維持動作と関係なく任意のサブフィールドに設定することができる。
【産業上の利用可能性】
【００４１】
本発明のパネルの駆動方法は、キセノン分圧を増加させたパネルであっても誤放電現象を発生させず、良好な画像表示が可能であり、プラズマディスプレイパネルの駆動方法等として有用である。
【図面の簡単な説明】
【００４２】
【図１】本発明の実施の形態に用いるパネルの要部を示す斜視図
【図２】同パネルの電極配列図
【図３】本発明の実施の形態におけるパネルの駆動方法を使用するプラズマディスプレイ装置の回路ブロック図
【図４】同駆動方法を使用するにあたって各電極に印加する駆動電圧波形図
【図５】維持期間において走査電極および維持電極に印加する駆動電圧波形とそれに伴う発光波形を示す図
【符号の説明】
【００４３】
１    パネル
２    前面基板
３    背面基板
４    走査電極
５    維持電極
９    データ電極
１２    データ電極駆動回路
１３    走査電極駆動回路
１４    維持電極駆動回路
１５    タイミング発生回路
【図１】
2006003398.tif 000003
【図２】
2006003398.tif 000004
【図３】
2006003398.tif 000005
【図４】
2006003398.tif 000006
【図５】
2006003398.tif 000007